(57)【要約】      （修正有）【課題】パーマネントウェーブ形成する為に巻かれた頭髪の毛束の外周面及び内周面を時間差加温し、毛先から根元に於ける薬液反応の均一化及び施術時間の短縮を図る。【解決手段】パーマネントウェーブ用装置は通電量を制御するボックスとロッドホルダーとロッドとよりなり、ロッドホルダーは非施術者の頭皮への影響を抑制する為に、通電により発熱する面状発熱体とサーミスターを有し、断熱と絶縁が可能な樹脂で頭皮に接する部分を厚く一体成形し、ロッドの両端部に熱を供給すると共にロッドに巻き付けられた頭髪の毛束の外周面を加温し、且つロッドを固定し、ロッドとの空間によって圧力による頭髪の根元部分の異形成化を防ぐ。ロッドは両端部に熱を受給し、熱伝導率の低い樹脂で中心部側が厚く被覆された部分によって熱伝導に差異を生じさせ、損傷度の最も大きい毛先を最後に加温し、頭髪における薬液反応を均一化する。【選択図】  図１
2007275093.tif 000002
【特許請求の範囲】
【請求項１】
熱伝導率の異なる２つの物質で構成されたパーマネントウェーブ用のロッドと、面状発熱体、サーミスター、パイロットランプ、プラグを有し、断熱と絶縁が可能な弾力のある樹脂で頭皮に接触する片方が厚く一体成形されたロッドホルダーと、外部に有する電気制御装置よりなり、ロッドホルダーにおいては、外部に有する電気制御装置より制御された電気を通電する事により発熱する面状発熱体を円弧筒形状の内周面側に埋設し、円弧筒形状の内周面側の４端部に突起部を設け、熱伝導式加温ロッドの両端部の切欠部に収まり熱伝導式加温ロッドを固定し、プラグは電気を受給する為のものであり洗浄した後速やかに乾燥でき、サーミスターは一定温度以上になると面状発熱体とパイロットランプへの通電量を抑制し、パイロットランプは通電状態を確認でき、熱伝導式加温ロッドにおいては、熱伝導率の高い金属、あるいは樹脂でできた芯部の両端部には数個の切欠部が有り、円錐形の細い部分が中心部で合わさった形状をなし、その外周部を熱伝導率の低い樹脂で中心部が厚く両端部側が薄くなるように被覆され円筒形の細い部分と経が大きい円筒形の部分とになり、径の大きい両端部の切欠部に、ロッドホルダーの内面側の４端部の突起部が収まり固定され、ロッドホルダーより熱を受給し、外部の電気制御器は、マイコンにより、ロッドホルダーへの通電時間の設定と結線されたロッドホルダーの本数を検知し、１本あたりの設定温度の必要電量を乗じて通電量を制御し、ロッドホルダーに電気を供給をするものであり、頭髪をパーマネントウェーブ形成する為にロッド巻かれた毛束の外周面及び内周面を時間差加温し、毛先から根元に於ける薬液反応の均一化と施術時間の短縮化及び快適化が出来ることを特徴とする時間差加温式パーマネントウェーブ用装置。          
【発明の詳細な説明】
【技術分野】
【０００１】
本発明は、毛髪のパーマネントウェーブ施術時に用いる時間差加温式パーマネントウェーブ用装置に関するものである。
【背景技術】
【０００２】
パーマネントウェーブ施術時に於いて、パーマネントウエーブ薬液反応を促進し、時間短縮とパーマネントウェーブ形成を可能にする為に、電熱ロッド及びクリップ、髪留めは実用に共されている。
【特許文献１】特許公開番号２００５ー４０２
【特許文献２】特許公開番号２００４ー３５８１１８
【特許文献３】特許公開番号平０３ー１１１２０１８
【特許文献４】実用登録番号３０３００１１
【特許文献５】特許公開番号２００５ー２６１８４１
【特許文献６】特許公開番号２００５ー３０４９０２
【０００３】
実用に共されている電熱ロッド、クリップ、髪留めは、パーマネントウェーブ施術方法において、薬液の時間短縮とパーマネントウェーブ形成する為には、特許文献１、特許文献２、特許文献３、特許文献４、特許文献５、特許文献６、実用上十分であった。
【発明の開示】
【発明が解決しようとする課題】
【０００４】
パーマネントウェーブ施術上、参照図９、図１０、頭髪の毛束１３を毛先よりロッド１４に巻き込む、ロッド１４に巻かれた毛束は元に戻ろうとする力が働く、巻き戻りを防ぐために、参照図１１、ゴムバンド１７をロッドの両端切欠部に掛けて固定し、ゴムバンド１７と巻かれた毛束１３の接触面において、拡げられたゴムバンド１７は元の状態に戻ろうとする収縮力がはたらき、頭皮１２からロッド１４までの頭髪の毛束１３を圧迫し、頭髪の毛束１３の接触面が折れたり、断絶したり異形成化するので、参照図１２、それを防ぐために、参照図１３細い棒状の物体１８で、接触面のゴムバンド１７を浮かせる作業があり作業効率が悪かった。
【０００５】
パーマネントウェーブ施術上、参照図９、図１０、頭髪の毛束１３を毛先よりロッド１４に巻き込む、ロッド１４に巻かれた毛束は元に戻ろうとする力が働く、巻き戻りを防ぐために、参照図１１、ゴムバンド１７をロッドの両端切欠部に掛けて固定し、ゴムバンド１７と巻かれた毛束１３の接触面において、拡げられたゴムバンド１７は元の状態に戻ろうとする収縮力がはたらき、頭皮１２からロッド１４までの頭髪の毛束１３を圧迫し、頭髪の毛束１３の接触面が折れたり、断絶したり異形成化するので、参照図１２、それを防ぐために、参照図１３細い棒状の物体１８で、接触面のゴムバンド１７を浮かせる作業が非施術者の頭皮を引っ張り著しく痛く長時間苦痛を強いられていた。
【０００６】
特許文献１、特許文献２、特許文献３、特許文献４、に記載され、実用に共されている電熱ロッド及びクリップ、髪留めに於いては、いずれも、最初に加温されるのは、巻き付けられた毛束の内周面の損傷度が最も高い毛先部分であり、最後に加温されるのは、毛束の外周面すなわち損傷度の低い根元部分であり、損傷度の最も高い毛先部分に最も長い時間加温される為に、毛先において薬液反応による損傷度合いが拡大し、また毛先と根元側において著しく不均一なウエーブ形成が成されるという欠点があった。  
【０００７】
また特許文献５、特許文献６に記載され、実用に共されている電熱ロッド及びクリップ、髪留めに於いては、毛束の内周面すなわち損傷度の最も高い毛先部分と毛束の外周面すなわち損傷度の最も低い根元部分における熱分布を意図的に乖離させ毛先を過度に加温させるため、薬液反応による損傷度合いが著しく拡大するという欠点があった。
【０００８】
実用に共されている電熱ロッドにおいて、ロッド本体が発熱をする為に、ロッドと非施術者の頭皮とが接触する事がありその場合、非施術者の頭皮に過大な熱を伝導し、頭皮に火傷を起こす危険性があり、頭髪の根元近くまで巻くことができない欠点があった。
【０００９】
実用に共されている電熱ロッドにおいて、ヘアースタイルを作成時、最初に加温されるのは、巻き付けられた毛束の内周面であり、損傷度の最も高い毛先部分であるために、毛先のウェーブ形成幅を広く求めた時、根元部分のウェーブ形成幅がより広くなり、パーマネントウェーブ施術後、ウェーブ形成維持が長期間続かない欠点があった。
【００１０】
実用に共されている電熱ロッドにおいて、ヘアースタイルによっては非施術者の頭髪の根元にボリュームを求めたり、毛流れを調整しなければならない事もあるが、非施術者の頭皮に過大な熱を伝導する為、頭皮に火傷を起こす危険性があり根元に施術できないので、本来のパーマネントウェーブの効果を根元には求められない欠点があった。
【００１１】
実用に共されている電熱ロッドにおいて、ロッド本体が発熱をする為に、ロッドと非施術者の頭皮とが接触する事がありその場合、頭皮に過大な熱を伝導し、頭皮に火傷を起こす危険性があり、断熱材を頭皮と電熱ロッドとの間に挟み、クリップで固定しなければならいという作業がさらに加わり施術工程が増え、著しく作業工程が煩雑になっていた。
【００１２】
パーマネントウェーブ施術において、これらの欠点は大きな障害である。
【００１３】
解決しようとする問題点は、実用に共されている電熱ロッドにおいて、非施術者の頭髪を、最も損傷度の低い根元に最初に加温し、最も損傷度の高い毛先部に最後に加温できない点であり、それにより非施術者の頭髪の毛先部の損傷が拡大し、根元から毛先まで均一にパーマネントウェーブの薬液反応ができないこと、電熱ロッドと非施術者の頭皮との接触部に過度な熱が加わり非施術者の頭皮の火傷などの損傷の危険性があり、火傷の防止のための作業工程が増し、またパーマネントウェーブ施術上において巻き戻り防止のために、ゴムバンドをロッド両端部の欠切部に装着するが、ゴムバンドの収縮力により巻かれた毛束を圧迫し、その部分がそのままの状態で薬液反応し異形成化し、異形成化を防止する為に、細い棒状の物体でゴムバンドを浮かせる作業も加わり、著しく作業効率が低下し、また非施術者の頭髪を引っ張り、頭皮の痛感と言う苦痛を長時間強いられると言う問題点である。
【課題を解決するための手段】
【００１４】
本発明は、毛髪において最も損傷度の低い根元に最初に加温し、最も損傷度の高い毛先部に最後に加温する時間差加温を成し、根元から毛先まで均一にパーマネントウェーブの薬液反応ができ、非施術者の頭皮に加わる熱を抑制し非施術者の頭皮の火傷、感電などを防止し、また巻かれた毛束を圧迫しその部分が異形生化するのを防止し、長時間の非施術者の頭皮の痛感と言う苦痛を強いられることを無くすると共に、作業効率を上げることを可能にした。
【発明の効果】
【００１５】
本発明の時間差加温式パーマネントウェーブ用装置はロッドホルダーと、熱伝導式加温ロッドと、外部の電気制御器とよりなる。
【００１６】
外部の電気制御器は、マイコンにより、通電時間の設定と結線されたロッドホルダーの本数を検知し、１本あたりの設定温度の必要な通電量を乗じて通電量を制御し、ロッドホルダーに電気を供給をする。
【００１７】
外部の電気制御器は、マイコンにより、ロッドホルダーの面状発熱体参照図８、の１０が一定温度以上になるとサーミスター参照図８、の１１が作動し通電量を抑制し、抑制された通電量を検知し、信号音を発し施術者に知らせる。  
【００１８】
ロッドホルダーは図７は斜視図、図８は側面透視図であり、通電する事により発熱する面状発熱体１１を弾力があり断熱と絶縁を兼ね備えた樹脂でできた円弧筒形状５の内周面側に埋設し、頭皮に接する部分の片方が厚く１体成形された物でありかつ、円弧筒形状の内面側の４端部に突起部９を設け、熱伝導式加温ロッドの両端部の切欠部参照図３、図４、図５、図６、の２に収まることを特徴としている。  
【００１９】
ロッドホルダーの非施術者の頭皮に接する部分の片方が厚く１体成形された部分は
弾力があり断熱と絶縁を兼ね備えた樹脂でできているために非施術者の頭皮を過度な熱による火傷と、薬液を使用するために起こる可能性がある漏電によるショート及び感電を防止できる。
【００２０】
ロッドホルダーの非施術者の頭皮に接する部分の片方が厚く１体成形された部分は熱伝導式加温ロッドに巻き付けられた非施術者の頭髪の毛束の巻き戻る力を頭皮との接触により抵抗し抑止する。
【００２１】
ロッドホルダーの円弧筒形状の内面側の４端部にある突起部９は熱伝導式加温ロッドの両端部の切欠部２に収まり、熱伝導式加温ロッドを固定する。  
【００２２】
ロッドホルダーのサーミスター１１は外部の電気制御装置が何らかの原因で通電量が制御できない時、面状発熱体１０が一定温度以上になると通電量を抑制し、面状発熱体１０の発熱を抑制し、非施術者の頭皮を安全保護する。  
【００２３】
ロッドホルダーのサーミスター１１は面状発熱体１０が一定温度以上になるとサーミスター１１が作動し通電量を抑制し、抑制された通電量を外部の電気制御装置が検知し、信号音を発し施術者への注意を促す。
【００２４】
ロッドホルダーのパイロットランプ参照図１の７、図７の７は外部の電気制御装置からの制御された電気を通電している時には点灯し通電を確認できる。
【００２５】
ロッドホルダーのパイロットランプ７は面状発熱体１０が一定温度以上になるとサーミスター参照図１１が作動し、通電量は抑制され点灯されていたパイロットランプ７は消灯し、施術者は具体的に温度上昇箇所を認知でき、速やかに処理できる。
【００２６】
ロッドホルダーのプラグ参照図７の８は、パーマネントウェーブの施術上、薬液が付着し、また頭皮、頭髪に接触する為、衛生上、施術後洗浄する必要があり、ソケットの場合ソケット内に水分が滞留し漏電を起こす可能性があり、プラグ８であれば外部に突出してるために乾燥も速く行え、速やかに次ぎの施術に使用することができる。
【００２７】
熱伝導式加温ロッドにおいては、図３は斜視図、図４は透視図、図５は芯部の展開図、図６は側面図である。
【００２８】
芯部参照図５は熱伝導率の高い金属、あるいは樹脂でできていて、両端部には数個の欠切部、参照図３、図４、図５、図６の２が有り、経が大きい円筒形の部分、参照図３、図４、図５、図６の１と、経の細い円錐形の細い部分が中心部で合わさった参照図３、図４、図５、図６の１の４形状をなし、径の大きい両端部の切欠部２に、ロッドホルダーの内周面側の４端部の突起部９が収まり固定される。
【００２９】
芯部の外周部の一部分は熱伝導率の低い樹脂で中心部が厚く両端部側が薄くなるように被覆され円筒形参照図３、図４、の３をし、熱の伝導を調節し熱伝導式加温ロッドの表面の中心部に最も遅く加温できる。  
【００３０】
熱伝導式加温ロッドは、パーマネントウェーブの施術上、薬液が付着し、また頭皮、頭髪に接触する為、衛生上、施術後洗浄する必要があるが、熱伝導式加温ロッドには電気部品を使用していないために、漏電によるショートもなく感電の心配もないので、施術後洗浄ができる。
【００３１】
芯部の外周部の一部分は熱伝導率の低い樹脂で中心部が厚く両端部側が薄くなるように被覆された円筒形３の部分とロッドホルダーの内周面との間には空間がある。参照図１
【００３２】
頭髪は皮膚の内部より押し出された物質で有り、毛先側と根元側には時間的経過が有り、毛先側の方が物理的及び化学的に損傷度合いが大きく、根元側の方が損傷度が小さい、損傷度合いが大きいほど薬液の浸透が早く薬液反応が強くなり、パーマネントウェーブを形成しやすい。
【００３３】
パーマネントウェーブ施術上、参照図９、一定の毛束１３を取り分け毛先をロッド１４の中心部に巻きつけ、参照図１０、順次根元に向けて巻き込む、従って巻き付けられた毛束には、ロッド１４と毛髪の接着面参照図９の１５、つまり毛先側の内周面と頭皮１２側の外周面参照図１０の１６、が存在し、巻き付けられた毛束の損傷度合いが大きい毛先部はロッドの中心部と接着する。
【００３４】
パーマネントウェーブの施術行程は、頭髪の毛束１３をロッドの長さより少し狭い幅で任意の厚さに取り分け、取り分けられた毛束１３を櫛にて整え、紙、もしくは布で毛先を包み込み、包み込んだ紙、もしくは布をロッドの中心部に毛先を折らないようにしながら根元方向に順次巻き込み、ゴムバンド参照図１１の１７、にて巻き戻らないように固定する。
【００３５】
ゴムバンド１７と巻かれた毛束１３の接触面において、拡げられたゴムバンド１７は元の状態に戻ろうとする収縮力がはたらき、頭皮１２からロッド１４までの毛束を圧迫し、その状態で薬液反応すると、毛束との接触面が折れたり、断絶したり異形成化する。それを防ぐために、細い棒状の物体参照図１２、図１３の１８で、毛束１３とゴムバンド１７との接触面の部分を浮かせる行程が必要になる。参照図１３
【００３６】
熱伝導式加温ロッドに頭髪を巻き終えてロッドホルダーを装着し外部の電気制御装置と結線し通電すると、熱伝導式加温ロッドに巻かれた毛束の外周面と熱伝導式加温ロッドの両端部の経の大きい部分を最初に加温する。
【００３７】
熱伝導式加温ロッドの両端部１を加温した熱は、熱伝導式加温ロッドの芯部図３、図４、図５、図６においては両端部より中心部に向かって熱伝導が始まる。
【００３８】
中心部に向かった熱は、熱伝導式加温ロッド図３、図４、図５の中心部が厚く両端に行くに従って熱伝導率の低い物質で薄く被覆された円筒形図３、図４の３により、熱伝導式加温ロッドの表面に至る熱伝導の過程は両側より始まり中心部が最後になる。
【００３９】
従って巻かれた毛束の外周面の損傷度の最も低い根元部分を最初に加温し、内周面の最も損傷度の高い毛先部分を最後に加温することになり薬液反応を均一化できる。
【００４０】
またロッドホルダーと熱伝導式加温ロッドとには一部空間参照図１がある。
【００４１】
この空間参照図１は頭皮から熱伝導式加温ロッドまでの毛束との接触を無くする為のものであり、従来の施術上のゴムバンド、クリップ、髪留め、などのように頭皮１２からロッド１４または、電熱ロッドまでの毛束との接触部に対して圧力を加えないために、ロッドホルダーと毛束との接触面が折れたり、断絶したり、異形成化しない。
【００４２】
またゴムバンド１７にての固定参照図１１、毛束１３とゴムバンド１７との接触面の部分を浮かせる行程参照図１３を省く事ができる。参照図１４  
【００４３】
実用に共されている特許文献２で示されてるクリップは、非施術者の頭皮に過多な熱伝導を防ぐために断熱シートを頭皮と電熱ロッドとの間に設置し、電熱ロッドと断熱シートを狭持する事を特徴としているが、本発明のロッドホルダーは非施術者の頭皮に接する部分を厚くした断熱樹脂で出来ているため非施術者の頭皮への過多な熱を抑止する事ができる。
【００４４】
実用に共されている特許文献１及び特許文献２の場合非施術者の頭皮に対しての過多な熱伝導を防ぐ為に、従来のパーマネント施術行程の作業を終えた後に、新たに断熱シートを非施術者の頭皮および電熱ロッドに設置させ、それをクリップにて固定させさせなければならないという作業が加わることになり作業効率が著しく低下する。
【００４５】
本発明はロッドホルダーを熱伝導式加温ロッドに装着する作業工程のみになり、巻き戻り防止のためゴムバンド１７をロッド１４または電熱ロッドの両端部の欠切部に装着する行程、ゴムバンド１７の収縮力による頭皮からロッドまたは電熱ロッドまでの毛束１３を圧迫し、毛束との接触面が折れたり、断絶したり異形成化の防止ための細い棒状の物体１８でゴムバンド１７を浮かせる行程、断熱シートの装着行程、クリップでの固定する行程、など４回の作業工程を１回の作業工程で行うことができ作業効率が改善される。参照図１４
【００４６】
実用に共されている特許文献５及び特許文献６の髪留めにおいては、巻き付けられたロッドを直接狭持する為、非施術者の頭皮から電熱ロッドまでの毛束を圧迫し、ロッドと毛束の接触面が折れたり、断絶したり、異形成化する。
【００４７】
本発明のロッドホルダーの内周面と熱伝導式加温ロッドの熱伝導率の低い物質で薄く被覆された円筒形図３、図４の３とには一部空間があり、非施術者の頭皮１２からロッド１４までの毛束を圧迫しないので、ロッドと毛束の接触面が折れたり、断絶したり、異形成化しない。
【００４８】
製作上断熱樹脂の中に面状発熱体、サーミスター１１、パイロットランプ６、プラグ８を直接埋め込み一体成形する事により実用に共されている特許文献５、特許文献６による整髪処理装置における髪留め具より部品数が少なく、また製作過程が簡略化でき、コストダウンが見込める。  
【発明を実施するための最良の形態】
【００４９】
毛髪の最も損傷度の高い毛先部を保護しながら、頭髪の根元部から毛先部まで均一かつ強固なパーマネントウェーブ形成ができ、用具を削減し、作業効率を高め、非施術者の頭皮の痛感による長時間の苦痛をなくする時間差加温式パーマネントウェーブ用装置である。
【図面の簡単な説明】
【００５０】
【図１】時間差加温式ロッドにロッドホルダーを装着した斜視透視図
【図２】時間差加温式ロッドにロッドホルダーを装着した側面図
【図３】時間差加温式ロッドの斜視図
【図４】時間差加温式ロッドの平面透視図
【図５】時間差加温式ロッドの芯部の斜視図
【図６】時間差加温式ロッドの芯部の側面図
【図７】ロッドホルダーの斜視図
【図８】ロッドホルダーの測断面図
【図９】施術説明図
【図１０】施術説明図
【図１１】施術説明図
【図１２】施術説明図
【図１３】施術説明図
【図１４】施術説明図
【符号の説明】
【００５１】
１    熱伝導率の高い芯部の経の大きい部分
２    切欠部
３    熱伝導率の低い物質での被覆部
４    熱伝導率の高い芯部で２つの円錐形が中心で合わさった部分
５    ロッドホルダーの本体部分
６    受電部
７    パイロットランプ
８    プラグ
９    ロッドホルダーの内周面の４端部の突起部
１０  面状発熱体
１１  サーミスター
１２  頭皮
１３  毛束
１４  ロッド
１５  ロッドと毛束の接着面、毛束の内周面
１６  毛束の外周面
１７  ゴムバンド
１８  細い棒状の物体
【図１】
2007275093.tif 000003
【図２】
2007275093.tif 000004
【図３】
2007275093.tif 000005
【図４】
2007275093.tif 000006
【図５】
2007275093.tif 000007
【図６】
2007275093.tif 000008
【図７】
2007275093.tif 000009
【図８】
2007275093.tif 000010
【図９】
2007275093.tif 000011
【図１０】
2007275093.tif 000012
【図１１】
2007275093.tif 000013
【図１２】
2007275093.tif 000014
【図１３】
2007275093.tif 000015
【図１４】
2007275093.tif 000016